(57)【特許請求の範囲】
【請求項１】
共同玄関に設置されたカラーカメラと、各住戸に設置されたカラーモニタテレビとを接続する映像信号路に、複数段の増幅器を介在させたカラー映像信号伝送システムにおいて、
上記各住戸のカラーモニタテレビは、オン状態では色信号の位相遅延を補正する色位相補正スイッチを備えた構成とされ、
上記各住戸のカラーモニタテレビのうち、映像信号路に介在する増幅器が所定の段数以上になるカラーモニタテレビでは、上記色位相補正スイッチをオン状態にしているカラー映像信号伝送システム。
【請求項２】
共同玄関に設置されたカラーカメラと、各住戸に設置されたカラーモニタテレビとを接続する映像信号路に、複数段の増幅器を介在させたカラー映像信号伝送システムにおいて、
上記カラー映像信号伝送システムは、色信号の位相遅延を補正するアダプタユニットを備えており、
上記映像信号路の上記増幅器が所定の段数以上になる位置には、上記アダプタユニットを介在させているカラー映像信号伝送システム。
【請求項３】
共同玄関に設置されたカラーカメラと、各住戸に設置されたカラーモニタテレビとを接続する映像信号路に、複数段の増幅器を介在させたカラー映像信号伝送システムにおいて、
上記各住戸のカラーモニタテレビには、色信号の位相遅延を補正する構成のものが含まれており、
映像信号路に介在する増幅器が所定の段数以上になる位置には、上記色信号の位相遅延を補正する構成のものを設置しているカラー映像信号伝送システム。
【発明の詳細な説明】
【０００１】
【発明の属する技術分野】
本発明は、マンションのロビーインターホンなどに備えられたカラーカメラと、各住戸のインターホンなどに備えられたカラーモニタテレビとを接続したカラー映像信号伝送システムに関する。
【０００２】
【従来の技術】
従来から、マンションなどの集合住宅では、カラー映像信号伝送システムが導入されており、各住戸において、共同玄関側のカラー映像が見られるようになっている。各住戸の住宅情報盤などでは、共同玄関のロビーインターホンから呼び出されると、モニタテレビに来客の映像を映し出す。映像を確認し、呼出に対して応答すれば、映像を見ながらのインターホン通話が可能になる。また、所定の操作をすれば、共同玄関の電気錠を解錠して、来客を集合住宅内に招き入れることができる。
【０００３】
このような、集合住宅におけるカラー映像信号伝送システムは、４分配器を内蔵した映像制御盤、分配器、増幅器などを組み合わせて構成しているが、これらの機器には、信号の減衰に対応するため、ゲイン調整用のアンプが内蔵されている。
【０００４】
【発明が解決しようとする課題】
このように、従来のカラー映像信号伝送システムでは、構成機器にゲイン調整用のアンプを内蔵しているため、各機器を複数段積み上げて接続すると、アンプ固有の周波数特性によって、映像信号の色位相に遅延（ズレ）が生じ、原色と比べて色ずれが生じる場合があった。例えば、住戸のモニタテレビでは、原色のレモン色がやまぶき色に変化して、人の顔色が変色して映し出される。このような色ずれに対して、従来は、テレビ側で色合いを手動で調整して対処していた。
【０００５】
本発明は、このような事情を考慮してなされたものであり、モニタテレビ側での面倒な調整操作を必要とせずに、色ずれを補正することができるカラー映像信号伝送システムを提供することを目的としている。
【０００６】
【課題を解決するための手段】
上記目的を達成するために、本発明は、共同玄関に設置されたカラーカメラと、各住戸に設置されたカラーモニタテレビとを接続する映像信号路に、複数段の増幅器を介在させたカラー映像信号伝送システムに適用される。
【０００７】
請求項１では、上記各住戸のカラーモニタテレビは、オン状態では色信号の位相遅延を補正する色位相補正スイッチを備えた構成とされ、上記各住戸のカラーモニタテレビのうち、映像信号路に介在する増幅器が所定の段数以上になるカラーモニタテレビでは、上記色位相補正スイッチをオン状態にしている。
【０００９】
請求項２では、上記カラー映像信号伝送システムは、色信号の位相遅延を補正するアダプタユニットを備えており、上記映像信号路の上記増幅器が所定の段数以上になる位置には、上記アダプタユニットを介在させている。
【００１０】
請求項３では、上記各住戸のカラーモニタテレビには、色信号の位相遅延を補正する構成のものが含まれており、映像信号路に介在する増幅器が所定の段数以上になる位置には、上記色信号の位相遅延を補正する構成のものを設置している。
【００１１】
【発明の実施の形態】
以下に、本発明の実施の形態について、図面とともに説明する。図１は、有線式のカラー映像信号伝送システムの構成の一例を示したシステム構成図である。集合住宅では、共同玄関に設置されたカラーカメラ付ロビーインターホン１と、各住戸に設置されたカラーモニタテレビ６とを接続する映像信号路に、複数段の増幅器を介在させている。
【００１２】
ここでは、映像信号路に、１段から７段までの増幅器（Ａｍｐ）が介在しており、増幅器２以外に、映像制御盤３や２分配器５に内蔵された増幅器が介在している。なお、図において、５は分岐器である。
【００１３】
本発明では、色信号の位相遅延を補正する構成として、３つの構成を提案している。第１の構成は、各住戸のカラーモニタテレビ６に、色位相補正スイッチ（図３に示す色位相補正スイッチＳＷ）を備える。この場合、各住戸のカラーモニタテレビ６のうち、映像信号路に介在する増幅器が所定の段数（例えば５段）以上になるカラーモニタテレビ６は、色位相補正スイッチＳＷをオン状態にして、色信号の位相遅延を補正する。図１では、上記所定の段数を５段にしており、それ以降に接続されている３台のカラーモニタテレビ６（＃１，＃２，＃３）において、色位相補正スイッチＳＷをオン状態にしている。
【００１４】
このような構成にすれば、システム導入時に、対象となるカラーモニタテレビ６の色位相補正スイッチＳＷをオン状態にしておくだけで、住戸人が面倒な色合いの調整操作をしなくても、色ずれを補正することができる。
【００１５】
図２には、色信号の位相遅延の補正を説明する波形概念図を示している。図２（ａ）が原信号であり、通過するアンプの段数が増えていくにつれて、色位相遅延時間Δｔ１〜Δｔ７は長くなり、色ずれの度合いが大きくなる。そこで、ここでは、５段以上のアンプを通過すると、人間が視覚で感じるズレが顕著になるとして、色位相補正を行っている。具体的には、同図（ｆ）〜（ｈ）に示すように、色位相遅延時間をΔｔ５ずつ進相させる。
【００１６】
次に、本発明の参考例となるシステムの構成について説明すると、各住戸のカラーモニタテレビ６に、予め、色信号の基準位相データを記憶する（図３に示す基準データメモリ１０ａに記憶する）。各カラーモニタテレビ６は、カラーカメラ１から伝送されてきた基準色信号を、基準位相データと比較して、色信号の位相遅延を補正する。
【００１７】
カラーモニタテレビ６では、ロビーインターホン１に内蔵された基準色信号（Ｒ・Ｇ・Ｂ）が伝送されてくると、映像を映し出す直前に、伝送されてきた基準色信号と、記憶した色信号（Ｒ・Ｇ・Ｂ）の基準位相データを比較して、位相ズレを検出する。
【００１８】
このような構成にすれば、カラーモニタテレビ６の製造段階で基準位相データを記憶しておくだけで、システム導入時に何らの操作をしなくても、各々のカラーモニタテレビ６で自動的に位相遅延を補正し、色ずれがない映像を映し出すことができる。また、予め、システムの構成を認識しておく必要がない。
【００１９】
次に、本発明システムの第３の構成について説明すると、映像信号路の増幅器が所定の段数以上になる位置に、色信号の位相遅延を補正するアダプタユニット７を介在させる。図１では、増幅器の段数が５段となった位置に、色位相補正用のアダプタユニット７を介在させている。
【００２０】
このような構成にすれば、１台のアダプタユニット７を挿入するだけで、複数台のカラーモニタテレビ６の色補正ができる。また、カラーモニタテレビ６には、色位相補正スイッチＳＷを備えたり、基準位相データを記憶する必要がなく、従来の構成のままでよい。したがって、各々のカラーモニタテレビ６は、何らの操作をしなくても、色ずれがない映像を映し出すことができる。
【００２１】
次に、本発明システムの第４の構成について説明すると、各住戸のカラーモニタテレビ６のうち、映像信号路に介在する増幅器が所定の段数以上になるカラーモニタテレビ６は、色信号の位相遅延を補正したカラーモニタテレビ６にする。すなわち、色ずれが生じるような場所には、色位相補正済みのモニタテレビ６を設置する。この構成にすれば、システムの施工時に、現場での調整作業などが不要になる。
【００２２】
次に、住戸内に設置するカラーモニタテレビ６の内部構成を、図３にブロック図で示す。カラーモニタテレビ６は、ＣＰＵ１０（マイコン）と、カラー信号処理回路１１と、テレビ起動回路１２と、リレー１３と、不平衡変換回路１４と、バンドパスフィルタ回路１５と、映像信号復調回路１６と、定電圧ＤＣ電源回路１７と、ダイオードブリッジ回路１８等で構成されている。
【００２３】
また、カラー信号処理回路１１は、ビデオクロマ信号処理回路１１ａ、ＲＧＢドライバ回路１１ｂ、カラーＬＣＤパネル１１ｃ、バスＩ／Ｆ回路１１ｄ、同期回路１１ｅ、タイミングコントローラ回路１１ｆで構成されている。
【００２４】
ロビーインターホン１側から呼出があり、テレビ起動信号を受信すると、リレー１３が切り替わり、映像信号が入力される。映像信号は、復調された後、ビデオクロマ信号処理回路１１ａによって色信号（Ｒ・Ｇ・Ｂ）として出力され、ＲＧＢドライバ回路１１ｂを経由して、カラーＬＣＤパネル１１ｃにカラー映像として表示される。
【００２５】
本発明では、カラーモニタテレビ６には、色位相補正スイッチＳＷ（工注スイッチ）を備えており、増幅器が所定の段数以上となるモニタテレビ６では、このスイッチＳＷをオンにする。そうすると、ＣＰＵ１０からシリアル制御信号を出力し、バスＩ／Ｆ回路１１ｄを介して、ビデオクロマ信号処理回路１１ａに対し、色位相補正データが出力される。ビデオクロマ信号処理回路１１ａは、ＲＧＢドライバ回路１１ａを経由して、カラーＬＣＤパネル１１ｃへ色位相補正されたＲＧＢデータを出力する。すると、カラーＬＣＤパネル１１ｃには、原色に近いカラー映像が表示される。
【００２６】
また、本発明では、すべてのカラーモニタテレビ６において、ＤＳＰ技術を応用して、自動的に色位相補正を行うことができる。その場合は、ＣＰＵ１０内にＥＥＰＲＯＭなどで構成された基準データメモリ１０ａに、基準位相データを記憶しておく。
【００２７】
次に、図４には、カラーモニタテレビ６の外観の一例を示している。ここでは、内蔵されているプリント配線板Ｐ（図中、破線で示す）に、色位相補正スイッチＳＷを設けている。アンプが５段以上通過するようなカラーモニタテレビ６では、色位相補正スイッチＳＷを「有」側に設定しておく。そうすれば、色信号の位相遅延を補正する。
【００２８】
なお、以上には、集合住宅におけるモニタテレビについて説明したが、本発明を家庭用テレビに適用してもよい。すなわち、一般家庭向けのＣＡＴＶ（ケーブルテレビ）では、ケーブルテレビ局から遠距離になればなるほど、増幅器の挿入個数が増え、色ずれが生じる。そこで、家庭用テレビに色位相補正スイッチ（ＳＷ）を備えれば、遠距離の場所にあるテレビでは、ケーブルテレビを観るときに、色位相補正スイッチをワンタッチ操作する。そうすれば、家庭用テレビでも、色ずれがない映像を観ることができる。
【００２９】
【発明の効果】
以上の説明からも理解できるように、本発明の請求項１に記載のカラー映像信号伝送システムでは、映像信号路に介在する増幅器が所定の段数以上になるカラーモニタテレビは、色位相補正スイッチをオン状態にして、色信号の位相遅延を補正する。これによって、システム導入時に、対象となるカラーモニタテレビに色位相を補正する設定をしておくだけで、住戸人が面倒な色合いの調整操作をしなくても、色ずれを補正することができる。
【００３１】
請求項２では、映像信号路の増幅器が所定の段数以上になる位置に、色信号の位相遅延を補正するアダプタユニットを介在させるので、カラーモニタテレビに、色位相補正スイッチを備えたり、基準位相データを記憶しておく必要がなく、従来の構成のままでよい。また、各々のカラーモニタテレビでは、何らの操作をしなくても、色ずれがない映像を映し出すことができる。
【００３２】
請求項３では、映像信号路に介在する増幅器が所定の段数以上になるカラーモニタテレビは、色信号の位相遅延の補正済みのものにするので、システムの施工時に、現場での調整作業などが不要になる。
【図面の簡単な説明】
【図１】本発明のカラー映像信号伝送システムの一例を示すシステム構成図である。
【図２】色信号の位相遅延の補正を説明するための図である。
【図３】カラーモニタテレビの内部構成の一例を示すブロック図である。
【図４】カラーモニタテレビの外観の一例を示す図である。
【符号の説明】
１      カラーカメラ付ロビーインターホン
２      増幅器
３      映像制御盤
４      ２分配器
５      分岐器
６      カラーモニタテレビ
７      アダプタユニット
ＳＷ    色位相補正スイッチ
１０    ＣＰＵ
１０ａ  基準データメモリ
【図１】
0003694784.tif 000002
【図２】
0003694784.tif 000003
【図３】
0003694784.tif 000004
【図４】
0003694784.tif 000005